(57)【要約】【課題】ニードル弁式の器具栓でありながらガスの供給と遮断が確実に安定して行なうことができ、微妙なガス量の調節を可能且つ容易にしたガスコンロの器具栓を提供すること。【解決手段】上記課題を解決するために本発明の器具栓１は、ニードル弁式の器具栓であって、ガスボンベ１３から供給されたガスをバーナー７に向けて供給し、あるいはその供給を遮断する開閉弁８１と、供給されたガスのガス量を微調節する調節弁８９とを備えている。また開閉弁８１は比較的大きな勾配を有する先細りコーン状の開閉弁体７７と、開閉弁体７７のテーパ面の一部に当接することでガスの供給を遮断する開閉弁座７９とを備え、一方、調節弁８９は極僅かな勾配を有する先細りテーパピン状の調節弁体８５と、調節弁体８５に対して極僅かな隙間を保って嵌合する調節弁穴８７とを備えている【選択図】              図３
2004198092.tif 000002
【特許請求の範囲】
【請求項１】
ニードル弁式のガスコンロの器具栓において、ガス供給源からバーナーに対するガスの供給、遮断を行う開閉弁を備え、且つ前記バーナーに供給されるガス量を微調節する調節弁を前記開閉弁とは別に備えたことを特徴とするガスコンロの器具栓。
【請求項２】
請求項１に記載のガスコンロの器具栓において、開閉弁は、進行後退するシャフトに設けられ、先端にいくに従って径寸法が徐々に小さくなる形状の開閉弁体と前記開閉弁体が離間するとバーナーにガスが供給され、当接するとバーナーに対するガスの供給が遮断される弁座とによって構成され、調節弁は、前記シャフトに設けられ先端にいくに従って径寸法が徐々に小さくなる形状の調節弁体と前記調節弁体がガス流路となる隙間を保って入り込み前記調節弁体が入り込む範囲の直径が同じ寸法に形成されている弁穴とによって構成されていることを特徴とするガスコンロの器具栓。
【請求項３】
請求項１または２に記載のガスコンロの器具栓において、操作者が調節弁を操作してバーナーにおけるガスの燃焼がとろ火となるようにガスの供給が調節されるとろ火位置になると、前記調節弁をとろ火位置に保持するとろ火位置保持手段を具備したことを特徴とするガスコンロの器具栓。
【請求項４】
請求項１〜３のいずれかに記載のガスコンロの器具栓において、器具栓が適用されるガスコンロは卓上式の小型ガスコンロであることを特徴とするガスコンロの器具栓。
【発明の詳細な説明】
【０００１】
【発明の属する技術分野】
本発明は、ガスコンロの器具栓に係り、特に旅館や料亭等の宴席等において料理を加熱する卓上式の小型ガスコンロに適用できるガスコンロの器具栓に関するものである。
【０００２】
【従来の技術】
旅館や料亭等の宴席において、各自の膳上で鍋料理等を加熱する場合、固形燃料を使用した簡易型の卓上コンロが使用されていた。
しかし、固形燃料は一旦、火を付けたら燃え尽きるまで使い切ってしまうのが原則であり、無駄が生じているばかりか、火力の調節もできないという欠点もある。
【０００３】
そこで、最近ではカートリッジタイプのガスボンベを使用した卓上式の小型ガスコンロも登場してきている。この種のガスコンロには料理の配膳等の邪魔にならず、コストも比較的安価なニードル弁式の器具栓を備えたガスコンロが使用されている。
図９に示すようにニードル弁は、シャフト先端の径寸法が徐々に小さくなったテーパ面を有する弁体１０１と、弁体１０１のテーパ面に当接することでバーナーへのガスの供給を遮断する弁座１０３とを備えている。
シャフト前端に設けられる操作つまみを所定の方向に回すことによって、シャフトは図示しないネジ機構によって前進または後退する。これにより弁体１０１と弁座１０３との間にできるガス流路の開口面積を変更して、ガス量の調節を行なっている。
【０００４】
しかしながら、上記従来のニードル弁式の器具栓では操作つまみを僅かに回し過ぎただけで、弁体１０１と弁座１０３と間のガス流路が閉じてしまい、バーナーの炎が消えてしまうことになるため、微妙な火力調節を行うことは殆ど不可能である。
また、弁体１０１が弁座１０３のエッジに食い込んでしまい、弁体１０１を後退させようとして操作つまみを回そうとしても容易に緩めることができなくなってしまう欠点がある。従って、料理を加熱する卓上式の小型ガスコンロに適用すると鍋ごとガスコンロを倒してしまうおそれがある。
【０００５】
【発明が解決しようとする課題】
本発明は上記従来の問題点に着目してなされたものであり、比較的構造が簡単で安価なニードル弁式の器具栓でありながらガスの供給と遮断が確実に安定して長期に亘って行なうことができ、調節が極めて困難であった微妙なガス量の調節を容易にできるようにしたガスコンロの器具栓を提供することを目的とする。
【０００６】
【課題を解決するための手段】
上記課題を解決するために請求項１記載の発明は、ニードル弁式のガスコンロの器具栓において、ガス供給源からバーナーに対するガスの供給、遮断を行う開閉弁を備え、且つ前記バーナーに供給されるガス量を微調節する調節弁を前記開閉弁とは別に備えたことを特徴とするガスコンロの器具栓である。
【０００７】
請求項２記載の発明は、請求項１に記載のガスコンロの器具栓において、開閉弁は、進行後退するシャフトに設けられ、先端にいくに従って径寸法が徐々に小さくなる形状の開閉弁体と前記開閉弁体が離間するとバーナーにガスが供給され、当接するとバーナーに対するガスの供給が遮断される弁座とによって構成され、調節弁は、前記シャフトに設けられ先端にいくに従って径寸法が徐々に小さくなる形状の調節弁体と前記調節弁体がガス流路となる隙間を保って入り込み前記調節弁体が入り込む範囲の直径が同じ寸法に形成されている弁穴とによって構成されていることを特徴とするガスコンロの器具栓である。
【０００８】
請求項３記載の発明は、請求項１または２に記載のガスコンロの器具栓において、操作者が調節弁を操作してバーナーにおけるガスの燃焼がとろ火となるようにガスの供給が調節されるとろ火位置になると、前記調節弁をとろ火位置に保持するとろ火位置保持手段を具備したことを特徴とするガスコンロの器具栓である。
【０００９】
請求項４記載の発明は、請求項１〜３のいずれかに記載のガスコンロの器具栓において、器具栓が適用されるガスコンロは卓上式の小型ガスコンロであることを特徴とするガスコンロの器具栓である。
【００１０】
【発明の実施の形態】
以下、本発明の実施の形態に係る器具栓１について説明する。
器具栓１は図１に示す卓上式の小型のガスコンロ３に搭載される。ガスコンロ３は略円筒状の本体５に対してバーナー７と、鍋等を載置する五徳９と、本発明の器具栓１と、この器具栓１に対して取り付けられる操作つまみ１１及びカートリッジ式のガスボンベ１３とを装着することによって構成されている。
【００１１】
本体５は円筒状の胴部１５を備えており、この胴部１５には３つの脚部１７が一体に設けられている。そして脚部１７の間のスペースにガスボンベ１３が備えられる。
胴部１５の上端寄りの部分には円板状の載置台１９が設けられており、この載置台１９は五徳９を支持している。
載置台１９の中央にはバーナー７を装着するための円筒状の支持ポスト２３が設けられている。また支持ポスト２３の周胴部の一部には後述する器具栓１からのガスの供給を受ける受入口２５が形成されている。
【００１２】
バーナー７は着火装置を有しない構造が簡単なタイプのものを使用し、携帯用の着火装置等を利用して着火を行なう。
五徳９の周縁には４本の支持アーム２７が立ち上げられている。また五徳９の中央には支持ポスト２３を貫通状態で受け入れる穴部２９が設けられ、さらに五徳９の胴部の一部には器具栓１の収容スペースを形成するための切欠き部３１が設けられている。
【００１３】
器具栓１の構成について説明する。
符号３３はハウジングを示し、このハウジング３３は上方に大径部、下方に小径部を有する段違い円柱状に形成されている。ハウジング３３の小径部にはカートリッジ式のガスボンベ１３を装着するための装着凹部３５が形成されている。
また装着凹部３５の中心から上方に向けて、ガスの流路の一部を構成する垂直供給経路３７が形成されている。
【００１４】
垂直供給経路３７の上端はハウジング３３の大径部に達しており、大径部を水平に貫く水平供給経路３９と直交して、これと連通している。
水平供給経路３９は径の違う複数の穴部が組み合わされた形状をしており、バーナー７側の供給開口４１にはノズル４３が設けられている。ノズル４３内にはフィルタ４５が備えられている。
【００１５】
符号５１は固定ジョイントを示し、この固定ジョイント５１は水平供給経路３９の操作部側開口４９に取り付けられている。固定ジョイント５１の操作つまみ１１側の端面には丸穴状の凹陥部５３が設けられている。この凹陥部５３には球体５５が固定ジョイント５１の端面からその一部を突出させた状態で収容されている。
【００１６】
符号４７はシャフトを示し、このシャフト４７は固定ジョイント５１に貫入されて回転自在、且つ軸方向に摺動自在に支持され、さらに水平供給経路３９に挿入されている。シャフト４７には雄ネジ部６９が設けられており、この雄ネジ部６９は水平供給経路３９の内周面に形成された雌ネジ部７１と螺合している。これにより操作つまみ１１を時計回りの方向へ回すとシャフト４７が進行し、操作つまみ１１を反時計回りの方向へ回すとシャフト４７が後退する。
シャフト４７の雄ネジ部６９より内方の部分にはフランジ状の仕切壁７３を挟んで収容凹部７５が設けられており、この収容凹部７５にはＯリング７２が収容されている。
【００１７】
シャフト４７の収容凹部７５の内方にはシャフト４７の先端に向けて径寸法が徐々に小さくなる先細りコーン状の開閉弁体７７が形成されている。開閉弁体７７はテーパ角αが約４０°と比較的大きな勾配を有する形状になっている。
ハウジング３３の水平供給経路３９の内周面には開閉弁体７７のテーパ面の一部に当接する開閉弁座７９が設けられている。この開閉弁座７９も径寸法が徐々に小さくなる先細りのテーパ穴状に形成されており、そのテーパ角βは更に大きく約６０°に設定されている。
開閉弁体７７と開閉弁座７９とによって開閉弁８１が構成されている。
【００１８】
開閉弁体７７の内方には円柱状の小径部８３が設けられ、更にその先端には、先端にいくに従って徐々に径寸法が小さくなった先細りテーパピン状の調節弁体８５が設けられている。
ハウジング３３における水平供給経路３９の内周面には調節弁体８５が極僅かな隙間を保って挿入される調節弁穴８７が設けられている。調節弁穴８７は直管状、即ち調節弁体８５が入り込む範囲の直径が同じ寸法に形成されている。調節弁体８５と調節弁穴８７との間にはガスの流路が形成され、このガスの流路の開口面積は、調節弁体８５の最小径部で最大となり、調節弁体８５の最大径部で最小となる。
調節弁体８５と調節弁穴８７とによって調節弁８９が構成されている。
【００１９】
符号５７はポジションプレートを示し、ポジションプレート５７の中央にはＤ字状の係合穴部６１が形成されている。この係合穴部６１にはシャフト４７の一部を切除することにより断面Ｄ字状に形成した係合軸部５９が挿入されている。ポジションプレートは、凹陥部５３内の球体５５をシャフト４７に対して軸方向に摺動自在で回転が規制された状態で取り付けられている。従って、ポジションプレート５７はシャフト４７と共に回転するようになっている。
【００２０】
また、ポジションプレート５７には嵌合穴部６３が設けられており、この嵌合穴部６３は球体５５の摺接円軌道上に備えられている。従って、嵌合穴部６３は固定ジョイント５１の端面から突出している球体５５の一部と嵌合する。
シャフト４７には円錐状のコイルバネ６５がはめられており、このコイルバネ６５はポジションプレート５７の外方に位置し、ポジションプレート５７に球体５５側への付勢力を与えている。さらにコイルバネ６５の外方には、コイルバネ６５を支持するＣ形止め輪６７が備えられている。このＣ形止め輪６７はシャフト４７の係合軸部５９に形成された係合溝を利用して取り付けられている。
固定ジョイント５１の凹陥部５３、嵌合穴部６３を有するポジションプレート５７、球体５５、円錐状のコイルバネ６５、Ｃ形止め輪６７によってとろ火位置保持手段が構成されている。
【００２１】
シャフト４７における係合軸部５９はＣ形止め輪６７が取り付けられている部分の外方部位が更に面取りされていて、面取りされた部位が対向する俵状断面となっている。この部分には同じく俵状の係合穴を有する操作つまみ１１が取り付けられる。
このように、器具栓１では、開閉弁８１と調節弁８９とが別に設けられている。
【００２２】
次に器具栓１の作動状態をバーナー７へのガスの供給、遮断、とろ火調節の操作手順と併せて説明する。
バーナー７を着火する場合には、操作つまみ１１を反時計回りの方向（ネジが緩む方向）に回して、シャフト４７を後退させて開閉弁体７７を開閉弁座７９から大きく離反させる。これによりガスボンベ１３から垂直供給経路３７内に流入したガスは水平供給経路３９に流れ込み、フィルタ４５、ノズル４３を通って、支持ポスト２３の受入口２５に至り、バーナー７から放出される。
この状態で別途用意しておいた着火装置によって火を付ければバーナー７は着火状態となる。
【００２３】
上記状態は最も火力の強い強火状態であり、この状態からとろ火状態へ移行させるには、操作つまみ１１を時計回りの方向へ回して、シャフト４７を進行させていく。
操作つまみ１１を所定の角度回すと、図７に示すようにポジションプレート５７に形成されている嵌合穴部６３に球体５５が嵌って、使用者にとろ火位置に達したことをカチッというクリック感によって伝える。このとろ火位置では嵌合穴部６３に球体５５が嵌っているので、ある程度力を入れないと操作つまみ１１をとろ火位置から回すことができないので、とろ火位置が保持されることになる。
【００２４】
この状態では図３に示すように開閉弁体７７は開閉弁座７９に当接する前の段階であり、開閉弁体７７と開閉弁座７９との間にはガスの流路が形成されている。小径部８３に達したガスは調節弁体８５と調節弁穴８７との間に形成されている極僅かな隙間を通ってフィルタ４５、ノズル４３に至り、バーナー７へと供給される。
この場合のガス量は前記着火時に比べてかなり少なくなり、バーナー７のとろ火状態が維持される。
【００２５】
とろ火位置から図８に示すように更に操作つまみ１１を所定の方向（閉める方向）に回して行くと、６０°程度回した位置が消火位置となり、バーナー７へのガスの供給が遮断されて、消火状態となる。
この状態では図４に示すように開閉弁体７７のテーパ面の一部が開閉弁座７９に当接して垂直経路３７から水平供給経路３９に至るガスの流路が完全に閉鎖される。このように開閉弁８１によってバーナー７へのガスの供給が遮断された消火状態においても、調節弁８９を構成する調節弁体８５と弁穴８７との間には隙間が形成された状態になっているので、調節弁体８５が弁穴８７に嵌り込むことはない。さらに開閉弁体７７のテーパ角αを通常のニードル弁に比べてかなり大きめに設定していることから、開閉弁体７７が開閉弁座７９に嵌り込むことはない。
従って、操作つまみ１１を常に軽い力で緩めることができ、容易にシャフト４７を後退させることができる。また開閉弁体７７が開閉弁座７９に当接する位置が変動してしまうこともない。
【００２６】
また図７に示すとろ火位置から図８に示す消火位置までの間はとろ火状態の微調節領域であり、調節できる約６０°の範囲内で更に火力の微調節を行なうことができる。この場合、調節弁体８５の勾配は極僅かであるから直管状の調節弁穴８７との隙間の変動も少なく、比較的容易に火力の微調節を行なうことができる。
なお、とろ火位置と消火位置の角度は雄ネジ部６９と雌ネジ部７１のネジピッチや加工、組立精度等によって消火位置が異なることと関係して変動するものであり、一義的に定まるものではない。
【００２７】
以上、本発明の実施の形態について詳述してきたが、具体的な構成はこの実施の形態に限られるものではなく、本発明の要旨を逸脱しない範囲における設計の変更などがあっても本発明に含まれる。
例えばポジションプレート５７に形成した嵌合穴部６３の数を増やすことによって、中火、弱火、とろ火というように更に何段階かクリック感が得られるポジションを形成することも可能である。
またポジションプレート５７に固定ジョイント５１側に突出する半球状の突起を設けておき、球体５５を省略して、上記突起を直接固定ジョイント５１の嵌合穴部６３に嵌合させるという構成を採用することも可能である。
【００２８】
【発明の効果】
本発明によれば、構造が比較的簡単で安価なニードル弁式のガスコンロにおいても、ガスの供給と遮断を片手の操作によって確実に安定して行なうことができる。
またクリック感が得られることで、不用意に火を消してしまうこともなく、微妙なとろ火調節も簡単に行なうことができるようになる。
【図面の簡単な説明】
【図１】本発明の実施の形態に係る器具栓を適用した卓上式の小型ガスコンロを示す斜視図である。
【図２】本発明の実施の形態に係る器具栓を示す分解斜視図である。
【図３】図２の器具栓のとろ火位置における側断面図である。
【図４】図２の器具栓の消火位置における側断面図である。
【図５】図２の器具栓におけるシャフトを拡大して示す側面図である。
【図６】図２の器具栓におけるハウジングを拡大して示す側断面図であ。
【図７】図２の器具栓におけるポジションプレートと球体のとろ火位置における位置関係を示す側断面図及び正面図である。
【図８】図２の器具栓におけるポジションプレートと球体の消火位置における位置関係を示す側断面図及び正面図である。
【図９】従来の器具栓の構造を示す側断面図である。
【符号の説明】
１  器具栓                      ３  ガスコンロ
５  本体                        ７  バーナー
９  五徳                      １１  操作つまみ
１３  ガスボンベ                １５  胴部
１７  脚部                      １９  載置台
２３  支持ポスト                ２５  受入口
２７  支持アーム                ２９  穴部
３１  切欠き部                  ３３  ハウジング
３５  装着凹部                  ３７  垂直供給経路
３９  水平供給経路              ４１  供給開口
４３  ノズル                    ４５  フィルタ
４７  シャフト                  ４９  操作部側開口
５１  固定ジョイント            ５３  凹陥部
５５  球体                      ５７  ポジションプレート
５９  係合軸部                  ６１  係合穴部
６３  嵌合穴部                  ６５  コイルバネ
６７  Ｃ型止め輪                ６９  雄ネジ部
７１  雌ネジ部                  ７２  Ｏリング
７３  仕切壁                    ７５  収容凹部
７７  開閉弁体                  ７９  開閉弁座
８１  開閉弁                    ８３  小径部
８５  調節弁体                  ８７  調節弁穴
８９  調節弁
α  （開閉弁体の）テーパ角      β  （開閉弁座の）テーパ角
【図１】
2004198092.tif 000003
【図２】
2004198092.tif 000004
【図３】
2004198092.tif 000005
【図４】
2004198092.tif 000006
【図５】
2004198092.tif 000007
【図６】
2004198092.tif 000008
【図７】
2004198092.tif 000009
【図８】
2004198092.tif 000010
【図９】
2004198092.tif 000011